(57)【要約】【課題】ユーザの使用頻度に応じて操作メニューの表示優先順位を変更可能であると共に使用頻度に関係なく優先的に表示可能な操作メニューを設定可能な分析装置の操作メニュー表示制御方法を実現する。【解決手段】ユーザの役割であるシステム管理者２０、オペレータ２１等毎に、使用した操作メニューの使用回数２３、使用回数の順位２４が記憶装置に記憶される。分析装置を使用するユーザの役割に基づいて、ユーザ毎ごと記憶された操作メニュー使用回数順位の上位ｎ個を、ディスプレイに表示する。使用頻度に関係無く、表示手段に表示すべき操作メニューについては、予め登録有無領域２５に登録されており、登録された操作メニューは、使用頻度に無関係に優先的に表示装置に表示される。【選択図】図４
2012112843.tif 000002
【特許請求の範囲】
【請求項１】
複数の操作メニューを表示手段に表示させる分析装置の操作メニュー表示制御方法において、
分析装置の動作制御部は、
分析装置を操作する操作者の複数の操作役割毎に、複数の操作メニューの使用回数およびその使用回数の順位を記憶手段に記憶させ、
操作者の入力手段を介して入力された操作役割に従って、上記記憶手段に記憶された、その操作役割における複数の操作メニューの使用回数の順位の上位の操作メニューから順番に表示手段に表示させることを特徴とする分析装置の操作メニュー表示制御方法。
【請求項２】
請求項１に記載の分析装置の操作メニュー表示制御方法において、
上記動作制御部は、操作者が入力手段を介して指定する表示数の操作メニューを使用回数の順位の上位の操作メニューから順番に表示手段に表示させることを特徴とする分析装置の操作メニュー表示制御方法。
【請求項３】
請求項１に記載の分析装置の操作メニュー表示制御方法において、
上記動作制御部は、複数の操作メニューのうち、使用回数に関係なく、優先的に表示させる操作メニューを、上記操作者の操作役割毎に上記記憶手段に記憶させ、操作者の操作役割に従って、優先表示させる操作メニューを表示手段に優先的に表示させることを特徴とする分析装置の操作メニュー表示制御方法。
【請求項４】
請求項１に記載の分析装置の操作メニュー表示制御方法において、
上記動作制御部は、上記操作者の操作役割毎に上記記憶手段に記憶させた操作メニューのうち、使用回数が０の操作メニューは、表示手段への表示対象から除外することを特徴とする分析装置の操作メニュー表示制御方法。
【請求項５】
請求項１に記載の分析装置の操作メニュー表示制御方法において、
上記分析装置は、液体クロマトグラフ装置であることを特徴とする分析装置の操作メニュー表示制御方法。
【請求項６】
複数の操作メニューを表示手段に表示させる分析装置の操作メニュー表示制御装置において、
分析装置を操作する操作者の操作入力手段と、
上記操作入力手段から入力される操作役割情報に基づいて、複数の操作役割毎に、複数の操作メニューの使用回数およびその使用回数の順位を記憶する記憶手段と、
操作者の入力手段を介して入力された操作役割に従って、上記記憶手段に記憶された、その操作役割における複数の操作メニューの使用回数の順位の上位の操作メニューから順番に表示手段に表示させる動作制御手段と、
を備えることを特徴とする分析装置の操作メニュー表示制御装置。
【請求項７】
請求項６に記載の分析装置の操作メニュー表示制御装置において、
上記動作制御部は、操作者が入力手段を介して指定する表示数の操作メニューを使用回数の順位の上位の操作メニューから順番に表示手段に表示させることを特徴とする分析装置の操作メニュー表示制御装置。
【請求項８】
請求項６に記載の分析装置の操作メニュー表示制御装置において、
上記動作制御部は、複数の操作メニューのうち、使用回数に関係なく、優先的に表示させる操作メニューを、上記操作者の操作役割毎に上記記憶手段に記憶させ、操作者の操作役割に従って、優先表示させる操作メニューを表示手段に優先的に表示させることを特徴とする分析装置の操作メニュー表示制御装置。
【請求項９】
請求項６に記載の分析装置の操作メニュー表示制御装置において、
上記動作制御部は、上記操作者の操作役割毎に上記記憶手段に記憶させた操作メニューのうち、使用回数が０の操作メニューは、表示手段への表示対象から除外することを特徴とする分析装置の操作メニュー表示制御装置。
【請求項１０】
請求項６に記載の分析装置の操作メニュー表示制御装置において、
上記分析装置は、液体クロマトグラフ装置であることを特徴とする分析装置の操作メニュー表示制御装置。
【発明の詳細な説明】
【技術分野】
【０００１】
本発明は、試料を測定し、取得したデータを解析して結果を得る分析装置の操作メニュー表示制御方法及び装置に関する。
【背景技術】
【０００２】
例えば、液体クロマトグラフ装置、ガスクロマトグラフ装置等の分析装置では、この分析装置のデータ処理装置としてパーソナルコンピュータが多く利用されている。このパーソナルコンピュータにはデータ処理プログラムがインストールされていて、このデータ処理プログラムを使用して、分析装置の制御やデータ取得および解析などを行っている。
【０００３】
近年、データ処理装置は、分析装置の制御、データ収集および解析のほか、レポート作成やデータ管理など多種多様な機能が搭載されるようになり、これに伴い多くの操作メニューが操作画面上に表示されるようになった。一般的に、操作メニューの表示順序および配置は全て固定されている。
【０００４】
このため、ユーザが操作メニューの画面表示配置を認識していれば問題はないが、表示される操作メニューの配置を認識していない場合は、使用したい操作メニューを探すために多くの時間を浪費してしまう。
【０００５】
また、操作メニューの中には、ユーザの作業内容に応じて、頻繁に使用されるものもあれば、まれにしか使用されないものもあり、これらの操作メニューが混在して表示されると、さらにユーザの負担が増加する問題がある。
【０００６】
これらの問題を解決する手段として、操作メニュー毎の使用回数に基づき、使用回数が多い操作メニューを優先的に上位に配置して、使用回数の多いものから少ないものの順に操作メニューを並び変えて表示する方法が提案されている（例えば、特許文献１参照）。
【０００７】
また、操作メニューを並び替えるだけでなく、使用回数が低い操作メニューは通常のメニュー表示とは異なる階層で表示する方法も提案されている（例えば、特許文献２参照）。
【先行技術文献】
【特許文献】
【０００８】
【特許文献１】特開平１１−５３１５５号公報
【特許文献２】特開平９−１２８１８９号公報
【発明の概要】
【発明が解決しようとする課題】
【０００９】
上記従来技術のように、全ての操作メニューを使用回数に応じて配置を変える方法は、パーソナルコンピュータにインストールして使用する一般的なアプリケーションソフトウエアにおいては有効ではある。
【００１０】
しかし、分析装置においては、必ずしも有効な方法ではない。
【００１１】
つまり、分析装置では同じ装置を、役割が互いに異なる複数のユーザが使用し、役割によっては使用する操作メニューも大きく異なる。
【００１２】
また、近年では操作メニューの階層が深くなり、複数回の操作を行わなければ使用したい操作メニューにたどりつくことができない。
【００１３】
本発明の目的は、分析装置を取り扱うユーザによって、使用頻度に応じて操作メニューの表示優先順位を変更可能である分析装置の操作メニュー表示制御方法及び装置を実現することである。
【課題を解決するための手段】
【００１４】
上記課題を解決するため、本発明は次のように構成される。
【００１５】
本発明の操作メニュー表示制御方法は、複数の操作メニューを表示手段に表示させる分析装置の操作メニュー表示制御方法であって、分析装置の動作制御部は、分析装置の操作者の複数の操作役割毎に、複数の操作メニューの使用回数およびその使用回数の順位を記憶手段に記憶させ、入力手段を介して入力された操作役割に従って、上記記憶手段に記憶された、その操作役割における複数の操作メニューの使用回数の順位の上位の操作メニューから順番に表示手段に表示させる。
【００１６】
また、本発明の操作メニュー表示制御装置は、操作者の操作入力手段と、操作入力手段から入力される操作役割情報に基づいて、複数の操作役割毎に複数の操作メニューの使用回数およびその使用回数の順位を記憶する記憶手段と、操作者の操作役割に従って、上記記憶手段に記憶された、その操作役割における複数の操作メニューの使用回数の順位の上位の操作メニューから順番に表示手段に表示させる動作制御手段とを備える。
【発明の効果】
【００１７】
本発明によれば、分析装置を取り扱うユーザによって、使用頻度に応じて操作メニューの表示優先順位を変更可能である分析装置の操作メニュー表示制御方法及び装置を実現することができる。
【図面の簡単な説明】
【００１８】
【図１】本発明の一実施例が適用される液体クロマトグラフ分析装置の概略構成図である。
【図２】本発明の一実施例であるデータ処理装置における初期画面を示す図である。
【図３】本発明の一実施例であるデータ処理装置におけるメイン画面を示す図である。
【図４】本発明の一実施例であるデータ処理装置の操作メニュー使用回数管理情報テーブルの一例を示す図である。
【図５】本発明の一実施例であるデータ処理装置の動作フローチャートである。
【図６】本発明の一実施例であるデータ処理装置の動作機能ブロック図である。
【図７】本発明の一実施例であるデータ処理装置におけるショートカットが選択された場合のメイン画面を示す図である。
【図８】本発明の一実施例における優先登録を行うための表示画面例を示す図である。
【発明を実施するための形態】
【００１９】
以下、添付図面を参照して、本発明の実施形態について説明する。
【実施例】
【００２０】
図１は、本発明の一実施例が適用される液体クロマトグラフ分析装置の概略構成図である。
【００２１】
図１において、溶離液１はポンプ２により送液され、サンプラー３、分離カラム４、検出器５の順に流れる。測定試料はサンプラー３により溶離液１の流れの中に注入され、カラム４により成分ごとに分離される。
【００２２】
カラム４により分離された試料は、検出器５により検出され、その検出信号がデータ処理装置６に送られる。
【００２３】
このデータ処理装置６には一般的にパーソナルコンピュータ７が使用される。このパーソナルコンピュータ７は、データの処理を行うＣＰＵ８と、データの一時的な記憶領域であるＲＡＭ９と、データの保存領域である記憶装置（記憶部）１０とを備え、液晶モニタ等のディスプレイ１１と、キーボードやマウス等の入力装置１２とが接続されている。
【００２４】
記憶装置１０にはデータ処理プログラムがインストールされていて、入力装置１２の例えばマウスやキーボードなどによりユーザの操作に応じて、ディスプレイ１１にその操作に関連する画面を表示する。
【００２５】
まず、ユーザは入力装置１２を介して記憶装置１０に格納されたデータ処理プログラムを起動する。このデータ処理プログラムを起動すると、図２に示す初期画面をディスプレイ１１に表示する。
【００２６】
ユーザは、入力装置１２を操作して、自分の役割を初期画面のリストボックス１３から選択し、その役割に対して設定されているパスワードを入力ボックス１４に入力する。
【００２７】
ユーザの役割には、主にシステム管理者や分析法（メソッド）開発者、オペレータなどがある。なお、ここでパスワードの入力を求めるのはセキュリティ強化のためであり、必ずしもパスワードの入力は必要ではない。
【００２８】
その後、ログインボタン１５を押下すると、データ処理装置６のメイン画面を起動する。キャンセルボタン１６を押下すると、メイン画面はキャンセルされ、データ処理プログラムは終了する。
【００２９】
図３は、データ処理装置６のディスプレイ１１に表示されるメイン画面の一例を示す図である。図３において、領域１７はツールバーであり、ここには操作メューが配置されている。
【００３０】
表示領域１８には分析条件などの分析条件のパラメータを設定する画面や、クロマトグラムを表示する画面、溶離液の流量などのデータ処理装置に接続されている装置の状態を表示する画面などが表示される。
【００３１】
データ処理装置６は、表示領域１７の操作メニューが選択される度に、選択した操作メニューの使用回数を記録装置１０に記録する。この使用回数はログインしたユーザの役割ごとに、図４に示すような管理テーブルに記録され、管理される。
【００３２】
図４のユーザの役割２０（システム管理者）、２１（オペレータ）のように、操作メニュー２２ごとに使用回数２３と、使用回数の多い順の順位２４とを管理する。
【００３３】
また、使用回数に関係なく優先的に表示させたい操作メニュー登録の有無も管理する。優先的に表示したい操作メニューの登録は、専用の登録画面もしくは、操作メニューを指定の領域などにドラッグして行い、登録有無２５に登録する（ここでは丸印をつける）。
【００３４】
図４に示した管理テーブルをディスプレイ１１に表示させることも可能である。
【００３５】
操作メニューの例としては、波形処理設定、濃度テーブル設定、データファイル開、メソッドファイル開、電子承認等がある。また、使用回数に関係なく、優先的に表示する必要がある操作メニューもある。
【００３６】
ここで、例えば、データ収集および解析のルーチンワークを行っているユーザは、データ収集からデータの解析、解析結果のレポートまで管理者に定められた作業内容を繰り返し行うため、通常使用する操作メニューも限られる。
【００３７】
しかし、例えば測定した試料の中に不純物が含まれているなど、稀に通常とは異なる測定結果を得る場合がある。
【００３８】
この場合、データ処理装置６の管理者に定められている範囲内ではあるが、その結果を纏めるためにデータの解析条件やそのレポートの内容の変更を行う必要がある。そのため、ユーザは変更作業を実施するが、通常とは異なる作業であるがゆえに、操作メニューの配置や手順を熟知していない。
【００３９】
また、通常使用する操作ではないので、使用回数に応じて操作メニューの表示配置を変える方法だと、この変更を行うための操作メニューは下位に配置されるため、ユーザは操作メニューを探すのに多くの時間を費やし、負担を増加させてしまう。
【００４０】
データ処理装置６の管理者は、データ処理装置６に登録されたユーザ（操作者）情報・権限の管理やデータ処理装置６の点検等が主な業務となる。この管理者が行う主な操作は、データ処理装置６やそれを使用するユーザの使用状況の確認に関する操作となる。
【００４１】
しかし、人事異動等でデータ処理装置６を使用するユーザが変わる場合、登録したユーザ情報の変更が必要になる。この操作は通常行うものではないが、先に述べたルーチンワークを行うユーザの変更作業と同様に操作メニューは上位に配置されないため、操作メニューを探すのに多くの時間を費やしてしまう。
【００４２】
このため、分析装置においては、それを取り扱うユーザの役割によって、使用する操作メニューも大きく異なるため、役割ごとに操作メニューの優先順位を変更し、かつ、使用回数に関係なく優先的に上位に配置可能な操作メニューを設定可能とすることが必要である。
【００４３】
このため、本発明の一実施例においては、使用頻度に関係なく、優先的に表示させる操作メニューを登録することができる。
【００４４】
図５は、本発明の一実施例における動作フローチャートであり、図６は、ＣＰＵ８の動作機能ブロック図である。図６において、ＣＰＵ８は、機能ブロックとして、操作入力判断部８ａと、ユーザ判定部８ｂと、表示制御部８ｃと、メニュー・カウント読み出し部８ｄと、優先登録設定部８ｅとを備えている。
【００４５】
図５の動作フローチャートにおいて、最初に、図２に示した初期画面によりログインするユーザの役割を判断する（ステップ２８）。次に、ユーザから専用の領域に操作メニューを配置するかどうかをユーザから指示されているか判断する（ステップ２９）。
【００４６】
図５に示した例では、ユーザからの指示の判断方法として図３のショートカットボタン１９が押下されたかどうかで判断する。この判断は、操作入力判断部８ａ、ユーザ判定部８ｂにより行われる。
【００４７】
図７に、専用の領域に操作メニューを配置する指示があった場合、つまりメイン画面のショートカットボタン１９が押下された場合の表示形式の一例を示す。図３に示したショートカットボタン１９が押下されると、図７のメイン画面左側に専用の表示領域２６、２７が表示される（ステップ３０）。以下、この領域をショートカットウィンドウと呼ぶ。
【００４８】
この後、現在ログインしているユーザの役割で統計されている全ての操作メニューの使用回数が０より大きいか、つまり１回以上、何かの操作メニューを使用したことがあるかを、メニュー・カウント読み出し部８ｄが、記憶部１０に記憶された操作メニュー使用回数管理情報テーブル（図４）に記録されたユーザ役割ごとの操作メニュー使用回数の情報より確認する（ステップ３１）。
【００４９】
使用回数が全て０、つまり、一度も操作メニューを使用したことがない場合（始めて使用する場合）は、図７のショートカットウィンドウの領域２６に何も操作メニューを表示（配置）しない（ステップ３２）で、次の処理３７へ進む。
【００５０】
使用回数が０より多い場合は、ログインしているユーザの役割で統計されている使用回数で多い順に上位ｎ個を抽出する（ステップ３３）。
【００５１】
このｎ個はユーザ自身が指定することができ、例えば、ショートカットボタン１９が押下された場合に、上位何個まで操作メニューをショートカットウィンドウに表示するかを尋ねる画面を表示し、ユーザに設定させる。ここで設定した個数はｎ個とする。
【００５２】
次に抽出した操作メニューに０回の操作メニューがないかを確認する（ステップ３４）。使用回数が０回の操作メニューがない場合は、メニュー・カウント読み出し部８ｄが、記憶部１０から抽出した上位の操作メニューｎ個を、表示制御部８ｃに指令してショートカットウィンドウの領域２６に表示する（ステップ３５）。
【００５３】
ステップ３４で使用回数が０回の操作メニューがある場合は、抽出した操作メニューで使用回数が０回の操作メニュー以外を、メニュー・カウント読み出し部８ｄが表示制御部８ｃに指令してショートカットウィンドウの領域２６に表示する（ステップ３６）。
【００５４】
次に、メニュー・カウント読み出し部８ｄは、上記で登録した使用回数に関係なく優先的に表示させたい操作メニューの登録の有無を記憶部１０に確認する（ステップ３７）。優先登録されている操作メニューが無い場合は、ショートカットウィンドウの領域２７に何も表示しないで処理を終了する（ステップ３８）。
【００５５】
ステップ３７で登録されている優先操作メニューが有る場合は、ショートカットウィンドウの領域２７に登録されている優先操作メニュー（図４の登録有無列に丸印が付いている操作メニュー）処理を表示する（ステップ３９）。
【００５６】
以上の処理を終了した状態が図７に示されている。ショートカットウィンドウの領域２６には、現在ログインしているユーザの役割に応じた使用回数の高いものから順に、指定個数の操作メニューが表示され、領域２７には、使用回数に関係なく、ユーザが登録した操作メニューが表示される。このショートカットウィンドウに表示されている操作メニューを選択すると、通常のツールバーの操作メニューと同じ処理を実行する。
【００５７】
このショートカットウィンドウに表示された操作メニューは次にショートカットボタン１９が押下されるまで記録部１０に記録し、保持する。なお、ここで記録する情報は、ユーザの役割ごとに記録するので、ログインしたユーザの役割に適した操作メニューが記録される。
【００５８】
ここで、優先登録の設定方法について説明する。ユーザが図７に示したシャオートカットウィンドウの優先登録ボタン４０を押下すると、それを操作入力判断部８ａが判断し、優先登録設定部が、記憶部１０に記憶された優先登録情報を読み出し、表示制御部８ｃに指令して表示部１１に、図８に示す登録情報を表示させる。
【００５９】
そして、ユーザが入力装置１２を用いて、優先表示したい操作メニューについて、チェック(丸印)を付け、記憶装部１０に記憶させる。記憶装部１０への記憶は、優先登録設定部８ｅが、操作入力部１２、操作入力判断部８ａを介して供給される指令に従って行う。
【００６０】
メニュー・カウント読み出し部は、ユーザ毎に使用回数をカウントがすると共に、そのカウント数及び使用回数の順位を判断し、記憶部１０に記憶させる。
【００６１】
以上説明したように、本発明の一実施例によれば、ユーザの役割ごとに使用回数の多い操作メニューと指定された操作メニューがショートカットウィンドウに表示され、かつ、使用頻度に関係なく優先的に表示すべき操作メニューが存在する場合は、それを優先表示設定可能であるので、複数の異なる役割のユーザが使用する分析機器において、各ユーザの役割ごとに適した操作性の向上を図ることができる。
【００６２】
つまり、分析装置を取り扱うユーザによって、使用頻度に応じて操作メニューの表示優先順位を変更可能であると共に、使用頻度に関係なく優先的に表示可能な操作メニューを設定可能な分析装置の操作メニュー表示制御方法及び装置を実現することができる。
【符号の説明】
【００６３】
１・・・溶離液、  ２・・・ポンプ、  ３・・・サンプラー、  ４・・・分離カラム、  ５・・・検出器、  ６・・・データ処理装置、  ７・・・パーソナルコンピュータ、  ８・・・ＣＰＵ、  ８ａ・・・操作入力判断部、  ８ｂ・・・ユーザ判定部、  ８ｃ・・・表示制御部、  ８ｄ・・・メニュー・カウント読み出し部、  ８ｅ・・・優先登録設定部、  ９・・・ＲＡＭ、  １０・・・記憶装置（記憶部）、  １１・・・ディスプレイ、  １２・・・入力装置、  １３・・・リストボックス、  １４・・・パスワード入力ボックス、  １５・・・ログインボタン、  １６・・・キャンセルボタン、  １７・・・ツールバー、  １８・・・表示領域、  １９・・・ショートカットボタン、  ２０、２１・・・ユーザの役割表示、  ２２・・・操作メニュー、  ２３・・・使用回数、  ２４・・・使用回数の順位、  ２５・・・登録有無表示、  ２６、２７・・・ショートカットウィンドウ領域、  ４０・・・優先登録ボタン
【図１】
2012112843.tif 000003
【図２】
2012112843.tif 000004
【図３】
2012112843.tif 000005
【図４】
2012112843.tif 000006
【図５】
2012112843.tif 000007
【図６】
2012112843.tif 000008
【図７】
2012112843.tif 000009
【図８】
2012112843.tif 000010